(57)【特許請求の範囲】
【請求項１】
吊り下げ用開口を上部に備え、上方に開口部を有する収納部を下部に備えた収納体と、該収納体の収納部内に着脱自在に収納するパウチ本体とから成り、前記収納体の吊り下げ用開口をボトル等の支持体に吊り下げて成る吊り下げパウチにおいて、前記パウチ本体の両側部のシール部に切り欠き部を設け、前記収納体の両側部にスリット部を設け、該切り欠き部が該スリット部にロックされることにより前記パウチ本体がずれ落ちないようにしたことを特徴とする吊り下げパウチ。
【請求項２】
前記収納体の横幅が、前記パウチ本体の横幅より小さいことを特徴とする請求項１記載の吊り下げパウチ。
【請求項３】
前記収納体が、上方の開口部横幅と下方の底部横幅とが同一のストレート形状又は上方の開口部横幅より下方の底部横幅が小さい逆台形状であることを特徴とする請求項１、又は請求項２記載の吊り下げパウチ。
【請求項４】
前記パウチ本体の形状が、両側部にシール部を有する、三方シール袋、スタンディングパウチ、ガゼット袋であることを特徴とする請求項１、請求項２、又は請求項３記載の吊り下げパウチ。
【請求項５】
前記切り欠き部が、パウチ本体の両端部のシール部に各々１個以上有することを特徴とする請求項１、請求項２、請求項３、又は請求項４記載の吊り下げパウチ。
【発明の詳細な説明】
【０００１】
【発明の属する技術分野】
本発明は、吊り下げ式のパウチに関するものであり、特に、パウチ本体を入れたカートン、成形品等の収納体を吊り下げ支持体に吊り下げるパウチに関する。
【０００２】
【従来の技術】
ボトル等の支持体に吊り下げる吊り下げパウチにおいては、ボトル等の支持体にパウチ本体を吊り下げるためにパウチ本体に吊り下げ部を設けることになる。例えば、吊り下げ部をシール部に設ける際には、パウチ本体の製袋時に特殊なシール形状が必要となる。或いは、フィルムを用いる際には、吊り下げ部の捩れ、皺などにより外観が損なわれたり、また、吊り下げ部の切り取りにバラツキが生じると、その部分からフィルムが裂ける恐れがある。
【０００３】
【発明が解決しようとする課題】
本発明は、ボトル等の支持体に吊り下げる吊り下げパウチにおいて、パウチ本体の製袋時にシール部を特殊なシール形状にする必要がなく、また、吊り下げ部に捩れ、皺などが生じて外観が損なわれたり、裂ける恐れがなく、且つ、パウチ本体がずれ落ちない見栄えがする吊り下げパウチを提供することを課題とするものである。
【０００４】
【課題を解決するための手段】
本発明は、吊り下げ用開口を上部に備え、上方に開口部を有する収納部を下部に備えた収納体と、該収納体の収納部内に着脱自在に収納するパウチ本体とから成り、前記収納体の吊り下げ用開口をボトル等の支持体に吊り下げて成る吊り下げパウチにおいて、前記パウチ本体の両側部のシール部に切り欠き部を設け、前記収納体の両側部にスリット部を設け、該切り欠き部が該スリット部にロックされることにより前記パウチ本体がずれ落ちないようにしたことを特徴とする吊り下げパウチである。
【０００５】
また、本発明は、上記発明による吊り下げパウチにおいて、前記収納体の横幅が、前記パウチ本体の横幅より小さいことを特徴とする吊り下げパウチである。また、本発明は、上記発明による吊り下げパウチにおいて、前記収納体が、上方の開口部横幅と下方の底部横幅とが同一のストレート形状又は上方の開口部横幅より下方の底部横幅が小さい逆台形状であることを特徴とする吊り下げパウチである。
【０００６】
また、本発明は、上記発明による吊り下げパウチにおいて、前記パウチ本体の形状が、両側部にシール部を有する、三方シール袋、スタンディングパウチ、ガゼット袋であることを特徴とする吊り下げパウチである。
また、本発明は、上記発明による吊り下げパウチにおいて、前記切り欠き部が、パウチ本体の両端部のシール部に各々１個以上有することを特徴とする吊り下げパウチである。
【０００７】
【発明の実施の形態】
本発明を一実施の形態に基づいて以下に詳細に説明する。
図１は、本発明による吊り下げパウチの一実施例を示す斜視図である。
図１に示すように、この一実施例における吊り下げパウチは、パウチ本体（１１）を入れた吊り下げ用開口を上部に備え、上方に開口部を有する収納部を下部に備えた収納体（１２）を、吊り下げ支持体としてのボトル（１３）の首に吊り下げた吊り下げパウチである。
図１において、（１４）は、収納体（１２）に入れられたパウチ本体（１１）がずれ落ちないパウチ本体（１１）がロックされる係合部を示している。また、パウチ本体を入れる収納体は紙製の組み立てカートンでもよく、また、一体に製造した成形品でもよい。
【０００８】
図２（イ）及び（ロ）は、図１におけるパウチ本体（１１）の正面を示す説明図である。図２（イ）はスタンディングパウチ、図２（ロ）は三方シール袋を示している。
図２（イ）及び（ロ）に示すように、スタンディングパウチ、三方シール袋共に、パウチ本体の両側部にシール部（２１）を有し、その両シール部（２１）には各々切り欠き部（２２）が設けられている。
また、スタンディングパウチ、三方シール袋のように、パウチ本体の両側部にシール部を有するものは切り欠き部（２２）を設ける点で好ましいものである。
【０００９】
図３（イ）及び（ロ）は、図１における収納体（１２）の正面を示す説明図である。図３（イ）は、上方の開口部横幅（Ａ）と下方の底部横幅（Ｂ）とが同一のストレート形状、図３（ロ）は、上方の開口部横幅（Ａ）より下方の底部横幅（Ｂ）が小さい逆台形状を示している。
【００１０】
図３（イ）及び（ロ）に示すように、ストレート形状、逆台形形状共に、その上部に吊り下げ用開口（３１）、２箇所の折れ目（３２）を有し、両側部にスリット部（３３）、また、下部には上方に開口部を有する収納部（３０）が設けられている。
そして、パウチ本体（１１）は、この収納部（３０）内に着脱自在に収納されるようになっている。この収納体（１２）の両側部に設けられているスリット部（３３）は、収納体（１２）に図２（イ）及び（ロ）におけるパウチ本体（１１）が入れられた際、パウチ本体（１１）の切り欠き部（２２）をロックし、パウチ本体（１１）がずれ落ちないようにしているものである。
【００１１】
また、この際、収納体の形状が図３（イ）及び（ロ）に示すように、ストレート形状、逆台形形状であると、パウチ本体（１１）の切り欠き部（２２）のロックがより確実になるものである。
【００１２】
図４（イ）は、収納体（１２）に内容物が充填されたパウチ本体（１１）が入れられた状態での側面を示す説明図、図４（ロ）は、その正面を示す説明図である。図４（イ）において、（４１）は、充填後のパウチ本体（１１）はその上方部分に比べ下方部分がたるみを有している状態を示している。
このたるみ（４１）が収納体（１２）の内側に接しパウチ本体（１１）が安定するようになっている。
【００１３】
また、図４（ロ）において、（４２）は、収納体（１２）に入れられたパウチ本体（１１）の切り欠き部（２２）より下方のシール部分が、収納体（１２）のスリット部（３３）からはみ出してロックされている状態を示している。
このように、パウチ本体（１１）のずれ落ちをより確実に防止するには、パウチ本体のたるみ（４１）が収納体（１２）の内側に接するようにし、且つ収納体（１２）の横幅が、パウチ本体（１１）の横幅より小さい方が好ましいものである。
【００１４】
すなわち、図５（イ）は、収納体（１２）の正面を示す説明図であり、図５（ロ）は、パウチ本体（１１）の正面を示す説明図であるが、図５（イ）及び（ロ）に示すように、収納体（１２）の横幅（Ｃ）が、パウチ本体（１１）の横幅（Ｄ）より小さい方が好ましいものである。
【００１５】
このようにして、パウチ本体（１１）のずれ落ちをより確実に防ぎ外観を好ましいものとしている。
このパウチ本体（１１）の横幅（Ｄ）と収納体（１２）の横幅（Ｃ）との差は、図４（イ）に示すように、パウチ本体（１１）のたるみ（４１）によりパウチ本体（１１）の横幅が小さくなることも考慮して定められるものである。
【００１６】
また、パウチ本体（１１）のシール部分（２１）に設けられる切り欠き部（２２）は、パウチ本体（１１）の両側部のシール部に設けられることが好ましく、更には、各々に複数個設けられることが好ましいものである。
切り欠き部（２２）を複数個設けることにより、収納体とのロックより確実になり、パウチ本体のずれ落ちをより確実に防止できるものとなる。
【００１７】
本発明に使用する材料構成としては、下記のものを例として挙げることができる。
（１）
正面シート、背面シート：（外面）ポリエチレンテレフタレート（１２μｍ）／アルミ箔（７μｍ）／延伸ナイロン（１５μｍ）／線状低密度ポリエチレン（１００μｍ）。
底シート：（外面）ナイロン（２５μｍ）／アルミ箔（７μｍ）／線状低密度ポリエチレン（１２０μｍ）。
（２）
正面シート、背面シート：（外面）内面に蒸着層を設けたポリエチレンテレフタレート（１２μｍ）／延伸ナイロン（１５μｍ）／線状低密度ポリエチレン（１００μｍ）。
尚、蒸着層としては、アルミなどの金属蒸着層、アルミナ、シリカなどの無機化合物蒸着層などを挙げることができる。
底シート：（外面）ナイロン（２５μｍ）／線状低密度ポリエチレン（１２０μｍ）。
（３）
正面シート、背面シート：（外面）ポリエチレンテレフタレート（１２μｍ）／内面に蒸着層を設けた延伸ナイロン（１５μｍ）／線状低密度ポリエチレン（１２０μｍ）。
底シート：（外面）ナイロン（２５μｍ）／線状低密度ポリエチレン（１２０μｍ）。
（４）
正面シート、背面シート：（外面）延伸ナイロン（２５μｍ）／線状低密度ポリエチレン（１５０μｍ）。
底シート：（外面）延伸ナイロン（２５μｍ）／線状低密度ポリエチレン（１５０μｍ）。
また、前記構成の正面シート、背面シートの最外面に紙を積層することもできる。
【００１８】
【発明の効果】
本発明は、収納体の吊り下げ用開口をボトル等の支持体に吊り下げて成る吊り下げパウチにおいて、パウチ本体の両側部のシール部に切り欠き部を設け、収納体の両側部にスリット部を設け、該切り欠き部が該スリット部にロックされる吊り下げパウチであるので、パウチ本体の製袋時にシール部を特殊なシール形状にする必要がなく、また、吊り下げ部に捩れ、皺などが生じて外観が損なわれたり、裂ける恐れがなく、且つ、パウチ本体がずれ落ちない見栄えがする吊り下げパウチとなる。
【図面の簡単な説明】
【図１】本発明による吊り下げパウチの一実施例を示す斜視図である。
【図２】（イ）はスタンディングパウチの正面を示す説明図である。
（ロ）は三方シール袋の正面を示す説明図である。
【図３】（イ）は、ストレート形状収納体の正面を示す説明図である。
（ロ）は、逆台形形状収納体の正面を示す説明図である。
【図４】（イ）は、収納体に内容物が充填されたパウチ本体が入れられた状態での側面を示す説明図である。
（ロ）は、収納体に内容物が充填されたパウチ本体が入れられた状態での正面を示す説明図である。
【図５】（イ）は、収納体の正面を示す説明図である。
（ロ）は、パウチ本体の正面を示す説明図である。
【符号の説明】
１１・・・パウチ本体
１２・・・収納体
１３・・・吊り下げ支持体としてのボトル
１４・・・係合部
２１・・・シール部
２２・・・切り欠き部
３０・・・収納部
３１・・・吊り下げ用開口
３２・・・折れ目
３３・・・スリット部
４１・・・パウチの下方部分のたるみ
４２・・・シール部分のスリット部からのはみ出し
Ａ・・・カートンの上方の開口部横幅
Ｂ・・・カートンの下方の底部横幅
Ｃ・・・カートンの横幅
Ｄ・・・パウチの横幅
【図１】
0003726545.tif 000002
【図２】
0003726545.tif 000003
【図３】
0003726545.tif 000004
【図４】
0003726545.tif 000005
【図５】
0003726545.tif 000006